(57)【要約】【課題】加熱装置の高温化によって生じるホットスポットのために、使用者が不快感を感じる等の従来技術の有する欠点が改良されたサウナ装置を提供する。【解決手段】複数の壁を備えたハウジングと、壁に各々取り付けた複数の加熱パッド３とを有していて、加熱パッド３の各々が、平坦な加熱本体３１と平坦な電気絶縁体３２とを含み、平坦な電気絶縁体３２が平坦な加熱本体３１を包み込んでいるサウナ装置。【選択図】図２
0003106358.tif 000002
【実用新案登録請求の範囲】
【請求項１】
複数の壁を備えたハウジングと、前記壁に各々取り付けた複数の加熱パッドとを有していて、前記加熱パッドの各々が、平坦な加熱本体と平坦な電気絶縁体とを含み、前記平坦な電気絶縁体が前記平坦な加熱本体を包み込んでいるサウナ装置。
【請求項２】
前記平坦な加熱本体がグラファイト材料からなる請求項１に記載のサウナ装置。
【請求項３】
前記平坦な電気絶縁体が、可撓性のグラスファイバ材料からなる請求項１に記載のサウナ装置。
【請求項４】
前記ハウジングがチャンバを画定し、前記壁が、左壁と右壁、および、前記左壁と右壁を相互接続する前壁と後壁、および、前記左壁、右壁、前壁、後壁を相互接続する天井と床を含み、前記サウナ装置がさらに、前記チャンバ内の、前記床よりも上に配置されたシートを備えている請求項１に記載のサウナ装置。
【請求項５】
前記加熱パッドが、前記左壁と右壁に夫々取り付けられ、前記シートよりも上に配置されている左加熱パッドと右加熱パッドを備え、前記後壁に取り付けられ、前記シートの上下に各々は位置されている上方および下方加熱パッドをさらに備える請求項４に記載のサウナ装置。
【請求項６】
前記加熱パッドがさらに、前記床に取り付けられた底部パッドを含んでいる請求項５に記載のサウナ装置。
【考案の詳細な説明】
【技術分野】
【０００１】
本考案はサウナ装置に関し、より詳細には、ハウジングと、ハウジングの壁に各々取り付けられた複数の加熱パッドとを具備したサウナ装置に関する。
【背景技術】
【０００２】
図５に示す従来型のサウナ装置１は、チャンバ１１を画定し、また、左壁１２、右壁１３、前壁１８、後壁１４、天井１５、床１６を備えている。前壁１８にはドア１８１が設けられている。チャンバ１１内の床１６付近にはシート１７が設けられている。チャンバ１１内のシート１７の下には複数の加熱装置１９が取り付けられている。加熱装置１９の各々は、ケーシング１９１と、ケーシング１９１内に取り付けられた加熱エレメント１９２とを備えている。加熱エレメント１９２は石英管を含む。
【０００３】
加熱装置１９への電力をオンにすると、加熱エレメント１９２が、サウナ装置１のチャンバ１１の温度を上げるために、熱を放射する。赤外線またはエッセンシャル・オイルを共用することにより、サウナ装置１は、使用者が代謝を促進し、身体から有毒物質を排出し、健康を維持し、疲労を回復する補助となる。従来型のサウナ装置１の加熱装置１９は放熱が可能であるが、以下に示す欠点から、加熱装置１９をさらに向上させることが要請されている。
【考案の開示】
【考案が解決しようとする課題】
【０００４】
1．  各加熱エレメント１９２の熱放射範囲が比較的小さいので、チャンバ１１を、所望範囲、つまり約４５℃〜６０℃の間の温度で加熱するために、各加熱エレメント１９２の温度を１００℃よりも高い温度に上昇させる必要がある。このような条件下では、使用者は、加熱装置１９の高温化によって生じるホットスポットのために、不快感を感じる傾向にある。これに加えて、使用者は加熱装置１９と接触することにより、又は、加熱装置１９からの放熱を長時間受けることにより負傷してしまう傾向にある。
2．  加熱装置１９は、左壁１２、右壁１３、前壁１８、後壁１４からチャンバ１１内部に突出しているため、サウナ装置１のサイズを縮小することが困難であり、スペースをとりすぎることになる。
【０００５】
さこで、本考案の目的は、前述した従来技術の欠点を克服できるサウナ装置を提供することにある。
【課題を解決するための手段】
【０００６】
上記目的を達成するために、本考案に係るサウナ装置の特徴構成は、複数の壁を備えたハウジングと、壁に各々取り付けた複数の加熱パッドとを備えていて、加熱パッドの各々が、平坦な加熱本体と平坦な電気絶縁体を含み、平坦な電気絶縁体が平坦な加熱本体を包み込んでいることにある。
【０００７】
本考案のこれ以外の特徴および利点は、添付の図面を参照した、本考案の好ましい実施形態の詳細な説明から明らかになる。
【考案を実施するための最良の形態】
【０００８】
図１、図３を参照すると、本考案によるサウナ装置２の好ましい実施形態は、複数の壁を具備したハウジングを備えており、該壁に包囲された内部にはチャンバ２１が画定されている。サウナ装置２はさらに、壁に各々取り付けられた複数の薄型加熱パッド３を備えている。該壁には左壁２２および右壁２３、該左壁２２と右壁２３を相互接続する前壁２８および後壁２４、該左壁２２、右壁２３、前壁２８、後壁２４を相互接続する天井２５および床２６を備えている。前壁２８はドア２８１を備えている。サウナ装置２はさらに、チャンバ２１内の、床２６よりも上に配置されたシート２７を有する。薄型加熱パッド３は、左加熱パッド３２２、右加熱パッド３２３、上方加熱パッドおよび下方加熱パッド３２４を備える。
【０００９】
図２を参照すると、各々の加熱パッド３は、放熱することができる平坦な加熱本体３１と、平坦な加熱本体３１を包み込み、平坦な加熱本体３１からサウナ装置２の内部のチャンバ２１内に放熱された熱を伝導することができる平坦な電気絶縁体３２とを備えている。平坦な加熱本体３１は、高温圧縮技術により、平坦な電気絶縁体３２包み込んでいることが好ましい。この好ましい実施形態では、平坦な加熱本体３１はグラファイト材料からなり、その厚みが１ｍｍ未満であることが好ましい。平坦な電気絶縁体３２は、平坦な加熱本体３１を絶縁するための可撓性のグラスファイバ材料からなることが好ましい。
【００１０】
図３は、本考案のサウナ装置２における加熱パッド３の好ましい配置を示す。この配置では、左加熱パッド３２２、右加熱パッド３２３が、それぞれ左壁２２、右壁２３に取り付けられており、シート２７よりも上に配置されている。上方および下方加熱パッド３２４が、後壁２４に取り付けられており、それぞれシート２７の上および下に配置されている。本考案によるサウナ装置２への電力をオンにすると、平坦な加熱本体３１が放出した熱が、平坦な加熱本体３１から、平坦な電気絶縁体３２を通ってサウナ装置２内のチャンバ２１内部へ伝播し、空気対流によってチャンバ２１全体に均等に分布する。これにより、本考案によるサウナ装置２内のチャンバ２１の温度を均一に上昇させ、これを均一な分布にて維持することが可能になる。
【００１１】
各々の加熱パッド３は比較的薄型であるため、チャンバ２１の容量を著しく減少することなく、各加熱パッド３の範囲を比較的広くすることができるため、各加熱パッド３の温度を、従来型の加熱装置のものと比べて、より低く保つことができる。したがって、使用者は、負傷することなく、加熱パッド３に触れ、接触することが可能である。
【００１２】
加熱パッド３は、左壁２２、右壁２３、後壁２４、天井２５、床２６のいずれにも取り付けられる。図４に示すように、加熱パッド３はさらに、床２６に取り付けられた底部パッド３２６を備えている。底部パッド３２６は、使用者が足を底部パッド３２６上に配置できるように、タオルによって被覆されている。
【００１３】
図面に示したサウナ装置２は一人用のものであるが、本考案は、複数使用者用のサウナ装置によっても具現化できる。
【００１４】
各々の加熱パッド３が比較的薄型であるため、サウナ装置２のサイズを縮小することで、占有スペースを縮小することが可能となる。さらに、従来型のサウナ装置では必要なケーシング１９１を設けることなく、加熱パッド３をサウナ装置２の壁に直接取り付けることができる。したがって、従来型の加熱装置１９よりも便利、且つ経済的な加熱パッド３の使用が得られる。
【００１５】
最も実用的および好ましいと考えられる実施形態に関連して本考案を説明してきたが、本考案は開示された実施形態に限定されるものではなく、最も広い解釈および均等な装置として解釈される精神および範囲内に含まれる様々な装置を網羅するものとして理解される。
【図面の簡単な説明】
【００１６】
【図１】本考案によるサウナ装置の好ましい実施形態を示す斜視図
【図２】本考案によるサウナ装置の加熱パッドの構造を示す断面図
【図３】本考案によるサウナ装置のハウジング内への加熱パッドの配置例を示す断面図
【図４】本考案によるサウナ装置のハウジング内への加熱パッドの別の配置を示す断面図
【図５】従来のサウナ装置を示す斜視図
【符号の説明】
【００１７】
３        加熱パッド
２２      左壁
２３      右壁
２４      後壁
２５      天井
２６      床
２７      シート
２８      前壁
３１      加熱本体
３２      電気絶縁体
３２２    左加熱パッド
３２３    右加熱パッド
３２４    下方加熱パッド
３２６    底部パッド
【図１】
0003106358.tif 000003
【図２】
0003106358.tif 000004
【図３】
0003106358.tif 000005
【図４】
0003106358.tif 000006
【図５】
0003106358.tif 000007